【事件の表示】
　特願２００８−１８３０３３「表示装置、表示装置の駆動方法、駆動用集積回路、駆動用集積回路による駆動方法及び信号処理方法」拒絶査定不服審判事件〔平成２２年　１月２８日出願公開、特開２０１０−　２０２４１〕について、次のとおり審決する。
【結　論】
　本件審判の請求は、成り立たない。
【理　由】
第１　手続の経緯
　本願は、平成２０年７月１４日の出願であって、平成２２年７月５日及び平成２３年７月２５日付けで手続補正がなされ、平成２３年７月２５日付け手続補正が同年８月９日付けで却下されるとともに同日付けで拒絶査定がなされ、これに対して、同年１１月１１日付けで拒絶査定不服審判が請求されると同時に手続補正がなされたものである。
　なお、請求人は、当審における平成２４年６月１２日付け審尋に対して同年８月１３日付けで回答書を提出している。
　
第２　平成２３年１１月１１日付け手続補正についての補正却下の決定
〔補正却下の決定の結論〕
　平成２３年１１月１１日付け手続補正を却下する。
　
〔理由〕
１　本件補正の内容
（１）平成２３年１１月１１日付け手続補正（以下「本件補正」という。）は、特許請求の範囲及び発明の詳細な説明についてするものであって、特許請求の範囲については、本件補正前の請求項１（平成２２年７月５日付け補正後のもの）に、
　
「赤、緑、青に加えて更に所定色の出力用サブピクセルが配列されピクセルを構成する表示画素部と、
　
入
前
前記赤
号から前記所定色の信号成分を抽出し、この抽出された前
該
調す
と
　
前記変調のレベルを決定するための入力画像信号と、変
にて表
う入力画像信号が異なるフレームのものである
　表示装置。」とあったものを、
　
「赤、緑、青に加えて更に所定色の出力用サブピクセルが配列されピクセルを構成する表示画素部と、
　
前フレームの入
後のフレームの
赤
号の最小値を前記所定色の信号成分とし、
後のフレームの該
調処理す
と、
　
前記前フレームの前記入力画像信号で決定した前記変調のレベルを画像解析情報として保持する情報保持部と
　
前記変
に表
い、
　
前記信号処理部は、前記変調のレベルの決定を入力画像信号のフレーム毎に行うと共に、前記変調処理として、入力画像信号を伸張処理することで明度を高める処理と、光源の明るさを低下させる処理を行う
　表示装置。」（「前記前フレームの前記入力画像信号に含まれる前記赤、緑、青の信号レベルを前記伸張係数により伸張し」は「後のフレームの入力画像信号に含まれる赤、緑、青の信号レベルを前記伸張係数により伸張し」の明らかな誤記であるので審決で誤記を訂正した。下線は審決で付した。以下同じ。）とする補正を含むものである。
　
（２）本件補正後の請求項１に係る上記（１）の補正は、次の補正からなるものである。
　ア　本件補正前の請求項１に係る発明を特定するために必要な事項である「信号処理部」が行う「変調」を「変調処理」として「処理」であることを限定する。
　イ　本件補正前の請求項１に係る発明を特定するために必要な事項である「伸張した赤、緑、青の信号から」の「前記所定色の信号成分」の「抽出」が、「伸張した赤、緑、青の信号の最小値を前記所定色の信号成分と」することであると限定する。
　ウ　本件補正前の請求項１に係る発明を特定するために必要な事項である「変調のレベルを決定するための入力画像信号」と「表示画素部にて表示を行う入力画像信号」とが「異なるフレームのものである」ことを、前者が「前フレーム」であり、後者が「後のフレーム」であり、「前記前フレームの前記入力画像信号で決定した前記変調のレベル」は「画像解析情報」として「情報保持部」に「保持」されることを限定する。
　エ　本件補正前の請求項１に係る発明を特定するために必要な事項である「信号処理部」を「前記変調のレベルの決定を入力画像信号のフレーム毎に行うと共に、前記変調処理として、入力画像信号を伸張処理することで明度を高める処理と、光源の明るさを低下させる処理を行う」ものであると限定する。
　オ　本件補正前の請求項１に係る発明を特定するために必要な事項である「伸張係数により伸張」する「赤、緑、青の信号レベル」が含まれる「入力画像信号」が「後のフレームの」ものであると限定するとともに、これに合わせて「前記赤、緑、青の信号レベル」の「前記」を削除する。
　
２　本件補正の目的
　本件補正後の請求項１に係る上記１（２）アないしオの補正は、本件補正前の請求項１に係る発明を特定するために必要な事項を限定するものであるから、特許法第１７条の２第５項第２号に掲げる特許請求の範囲の減縮を目的とするものである。
　そこで、本件補正後の請求項１に係る発明（以下「本願補正発明」という。）が、特許出願の際独立して特許を受けることができるものであるか（平成２３年法律第６３号改正附則第２条第１８項によりなお従前の例によるとされる同法による改正前の特許法第１７条の２第６項において準用する同法第１２６条第５項の規定に適合するか）について以下検討する。
　
３　引用例
（１）原査定の拒絶の理由に引用された「本願の出願前に頒布された刊行物である特開２００６−３１７８９９号公報（以下「引用例１」という。）」には、次の事項が図とともに記載されている。
　ア　「【０００１】
　本発明は、
液晶表示装置
ＲＧＢＷ型の表示装置
【背景技術】
【０００２】
　近来、陰極線管（Ｃａｔｈｏｄｅ　Ｒａｙ　Ｔｕｂｅ）の短所とされる重さと体積を減らすことのできる各種平板表示装置が台頭してきている。かかる平板表示装置には、液晶表示装置（ＬＣＤ：Ｌｉｑｕｉｄ　Ｃｒｙｓｔａｌ　Ｄｉｓｐｌａｙ）、電界放出表示装置（ＦＥＤ：Ｆｉｅｌｄ　Ｅｍｉｓｓｉｏｎ　Ｄｉｓｐｌａｙ）、プラズマ表示パネル（ＰＤＰ：Ｐｌａｓｍａ　Ｄｉｓｐｌａｙ　Ｐａｎｅｌ）及び発光表示装置（ＬＥＤ：Ｌｉｇｈｔ　Ｅｍｉｔｔｉｎｇ　Ｄｉｓｐｌａｙ）などがある。
【０００３】
　なかでも、液晶表示装置は、複数のデータラインと複数のゲートラインにより定義される領域に複数の液晶セルが配置され、各液晶セルに、スイッチング素子の薄膜トランジスタ（Ｔｈｉｎ　Ｆｉｌｍ　Ｔｒａｎｓｉｓｔｏｒ：以下、ＴＦＴと称する）が形成されたＴＦＴ基板と、カラーフィルタが形成されたカラーフィルタ基板とが一定の間隔を保ちながら配置され、その隙間に液晶層が形成されてなる。
【０００４】
　このように構成される液晶表示装置は、データ信号によって液晶層に電界を形成し、液晶層を通過する光の透過率を調節することによって望む画像を得る。この時に、データ信号は、液晶層へ一方向の電界が長い間印加されることから生じる劣化現象を防止するために、フレーム別に、行別に、またはドット別に極性が反転される。
【０００５】
　また、液晶表示装置は、赤色（Ｒ）、緑色（Ｇ）及び青色（Ｂ）の３色ドットから赤色光、緑色光及び青色光を混合して一つのカラー画像を表示する。しかしながら、赤色（Ｒ）、緑色（Ｇ）及び青色（Ｂ）の３色ドットで１サブピクセルを表示する一般の液晶表示装置では、光効率が低下するという問題が生じる。具体的に、赤色、緑色及び青色のそれぞれのサブピクセルに配置されたカラーフィルタは、印加される光の１／３程度のみを透過させるために全体的に光効率が落ちる。
【０００６】
　そこで、液晶表示装置の色再現性を維持しながら輝度及び光効率を向上させるための方法として、
赤色（Ｒ）、緑色（Ｇ）及び青色（Ｂ）のカラーフィルタの外に、白色フィルタ（Ｗ）を含むＲＧＢＷ型の液晶表示装置
【０００７】
　これらのＲＧＢＷ型の液晶表示装置は、
３色画像信号を４色画像信号に変換してカラー画像の輝度を向上させる
【０００８】
　図１は、赤色（Ｒ）、緑色（Ｇ）及び青色（Ｂ）を各軸とする立体直交座標において、赤色（Ｒ）と緑色（Ｇ）を軸とする領域の平面座標を示す図である。
【０００９】
　図１において、実線で表示された正方形領域は、３色画像信号により表示可能な色を表し、太い実線で表示された直方体形領域は、４色画像信号により表示可能な色を表す。そして、ＲＧＢＷ型の液晶表示装置は、赤色（Ｒ）、緑色（Ｇ）及び青色（Ｂ）の３色に白色（Ｗ）を加えることによって、色領域を点線で表示された対角線方向に拡張する。すなわち、３色画像信号を４色画像信号に変換する過程は、正方形内の各座標を直方体内の座標に拡張するものである。
【００１０】
　一方、ＲＧＢＷ型の液晶表示装置において、３色画像信号を４色画像信号に変換するための変換装置は、様々なゲインカーブＧ１、Ｇ２、Ｇ３、Ｇ４が現れるようにしている。
【００１１】
【特許文献１】韓国公開特許番号第２００２-１３８３０号公報
【特許文献２】韓国公開特許番号第２００４-８３７８６号公報
【発明の開示】
【発明が解決しようとする課題】
【００１２】
　しかしながら、従来技術には以下のような課題がある。ゲインカーブＧ１、Ｇ２、Ｇ３、Ｇ４が変わっても、３色画像信号による白色（Ｗ）に対する輝度の増幅の度合は、同一であるが、任意の３色画像信号Ａの場合、Ａ’、Ａ’’及びＡ’’’のようにいずれも異なる増幅の度合を持つ。また、一つのゲインカーブ上で現れる白色（Ｗ）と任意の３色画像信号Ａの輝度増幅の度合が異なるため、ゲインが１の純色とゲインが２の階調色とが混合している画像では、その差が一層目立つことになる。したがって、ＲＧＢＷ型の液晶表示装置は、入力される３色画像信号によって輝度の増幅される度合が異なるため、使用者が感じる画面の感じがＲＧＢ液晶表示装置の画面と異なるという問題があった。
【００１３】
　しかも、ＲＧＢＷ型の液晶表示装置において、ゲインカーブを得るためには演算回路が必要であるが、この演算回路は、複雑な演算を行うもので、その具現が難しいという問題点があった。
【００１４】
　本発明は上記の問題を解決するためのもので、その目的は、ＲＧＢＷ型の表示装置で表示される画像をより自然に表示することができる液晶表示装置の駆動装置及び駆動方法を提供することにある。
【００１５】
　本発明の他の目的は、単純な演算を通じて３色画像信号を４色画像信号に変換することができる液晶表示装置の駆動装置及び駆動方法を提供することにある。
【課題を解決するための手段】
【００１６】
　上記目的を達成するために、本発明による液晶表示装置の駆動装置は、
４色のサブピクセルを備える液晶パネルと、前記各サブピクセルにビデオデータ信号を提供するデータドライバと、前記サブピクセルにスキャンパルスを提供するゲートドライバと、外部から入力される３色ソースデータから無彩色信号及び彩色信号の割合を分析してゲイン値を生成し、生成されたゲイン値を用いて前記３色ソースデータを４色データに変換するデータ変換部と、前記データ変換部からの前記４色データを前記データドライバに提供するとともに、前記ゲートドライバ及び前記データドライバを制御するタイミングコントローラとを備える
【００１７】
　さらに、本発明による液晶表示装置の駆動方法は、４色のサブピクセルを備える液晶パネルと、前記サブピクセルにビデオデータ信号を提供するデータドライバと、前記サブピクセルにスキャンパルスを提供するゲートドライバとを有する液晶表示装置の駆動方法において、外部から入力される３色ソースデータから無彩色信号及び彩色信号の割合を分析してゲイン値を生成する段階と、前記生成された前記ゲイン値を用いて前記３色ソースデータを４色データに変換する段階と、前記スキャンパルスを生成する段階と、前記４色データを前記ビデオデータに変換し、これを、前記スキャンパルスに同期するように前記サブピクセルに提供する段階とを備えることを特徴とする。
【発明の効果】
【００１８】
　本発明による液晶表示装置の駆動装置及び駆動方法は、入力されるフレーム単位の３色ソースデータに基づいて輝度増幅のゲイン値を設定してＲＧＢデータを増幅し、増幅されたＲＧＢデータの共通成分で白色データを生成し、増幅されたＲＧＢデータから白色データを減算し出力ＲＧＢデータを生成することによって、ＲＧＢデータからＲＧＢＷデータを簡易に計算することができる。
【００１９】
　したがって、本発明によれば、別途の除算を行う必要がないため、ＲＧＢデータをＲＧＢＷデータに変換するためのデータ変換部の構成を単純化することができる。この場合、本発明において、別途の除算を行うと、ＲＧＢデータをより正確なＲＧＢＷデータに変換可能になる。
【００２０】
　結果として、本発明は、ゲイン値を用いて、入力された３色ソースデータに対する輝度増幅の大きさを等しくすることによって、ＲＧＢＷ型の表示装置で表示される画像をより自然にすることが可能になる。
【発明を実施するための最良の形態】
【００２１】
　以下、添付の図面に基づき、本発明の好適な実施の形態に係る液晶表示装置の駆動装置及び駆動方法ついて説明する。
【００２２】
　図２は、本発明の第１の実施の形態による液晶表示装置の駆動装置を概略的に示す図である。
【００２３】
　図２を参照すると、本発明の第１の実施の形態による液晶表示装置の駆動装置は、ｎ本のゲートラインＧＬ１〜ＧＬｎ、及びｍ本のデータラインＤＬ１〜ＤＬｍにより定義される
４色のサブピクセル領域ごとに形成された液晶セルを有する液晶パネル１０２と、データラインＤＬ１〜ＤＬｍにビデオデータ信号を提供するデータドライバ１０４と、ゲートラインＧＬ１〜ＧＬｎにスキャンパルスを提供するゲートドライバ１０６と、外部から入力される３色ソースデータＲＧＢを４色データＲＧＢＷに変換して出力するデータ変換部１１０と、データ変換部１１０から入力された４色データＲＧＢＷを整列してデータドライバ１０４に提供し、また、データ制御信号ＤＣＳを生成してデータドライバ１０４を制御すると同時に、ゲート制御信号ＧＣＳを生成してゲートドライバ１０６を制御するタイミングコントローラ１０８とを備え
【００２４】
　液晶パネル１０２は、ｎ本のゲートラインＧＬ１〜ＧＬｎ、及びｍ本のデータラインＤＬ１〜ＤＬｍにより定義される領域に形成された薄膜トランジスタＴＦＴと、薄膜トランジスタＴＦＴに接続された液晶セルとを備える。薄膜トランジスタＴＦＴは、ゲートラインＧＬ１〜ＧＬｎからのスキャンパルスに応じてデータラインＤＬ１〜ＤＬｍからのデータ信号を液晶セルに提供する。液晶セルは、液晶を介在して対面する共通電極と、薄膜トランジスタＴＦＴに接続されたサブピクセル電極とで構成されるので、等価的に液晶キャパシタＣｌｃで表示することができる。さらに、液晶セルは、液晶キャパシタＣｌｃに充電されたデータ信号を次のデータ信号が充電されるまで保持するために、前のゲートラインに接続されるストレージキャパシタＣｓｔを備える。
【００２５】
　一方、液晶パネル１０２には、赤色（Ｒ）、緑色（Ｇ）、青色（Ｂ）及び白色（Ｗ）サブピクセルが、サブピクセルの行方向に反復して形成される。これら赤色（Ｒ）、緑色（Ｇ）及び青色（Ｂ）サブピクセルのそれぞれには、各色に対応するカラーフィルタが配置されるのに対し、白色（Ｗ）サブピクセルにはカラーフィルタが配置されない。そして、赤色（Ｒ）、緑色（Ｇ）、青色（Ｂ）及び白色（Ｗ）サブピクセルは、同じ面積の割合または異なる面積の割合のストライプ構造をなす。この際、赤色（Ｒ）、緑色（Ｇ）、青色（Ｂ）及び白色（Ｗ）サブピクセルは、上下左右、すなわち２×の行列形状で配置することができる。
【００２６】
　
データ変換部１１０は、外部から入力される３色ソースデータＲＧＢから無彩色信号及び彩色信号の割合をフレーム単位に分析し、ゲイン値を生成して３色ソースデータＲＧＢを増幅し、増幅された３色ソースデータＲＧＢの共通成分により抽出された白色（Ｗ）データを生成し、生成された白色（Ｗ）データを用いて３色ソースデータＲＧＢを４色データＲＧＢＷに変換してタイミングコントローラ１０８に提供する
【００２７】
　タイミングコントローラ１０８は、データ変換部１１０から提供される４色データＲＧＢＷを、液晶パネル１０２の駆動に見合うように整列してデータドライバ１０４に供給する。また、タイミングコントローラ１０８は、外部から入力されるメインクロックＤＣＬＫ、データイネーブル信号ＤＥ、水平同期信号Ｈｓｙｎｃ及び垂直同期信号Ｖｓｙｎｃを用いてデータ制御信号ＤＣＳとゲート制御信号ＧＣＳを生成し、データドライバ１０４とゲートドライバ１０６のそれぞれの駆動タイミングを制御する。
【００２８】
　ゲートドライバ１０６は、タイミングコントローラ１０８から入力されるゲート制御信号ＧＣＳのうち、ゲートスタートパルスＧＳＰとゲートシフトクロックＧＳＣに応答してスキャンパルス、すなわちゲートハイパルスを順次発生するシフトレジスタを備える。このスキャンパルスに応答して、薄膜トランジスタＴＦＴは、ターンオンされる。
【００２９】
　データドライバ１０４は、タイミングコントローラ１０８から入力されるデータ制御信号ＤＣＳに応じて、タイミングコントローラ１０８で整列された４色データＤａｔａをアナログ信号のビデオデータ信号に変換し、これを、ゲートラインＧＬ１乃至ＧＬｎにスキャンパルスが提供される１水平周期ごとに１水平ライン分のビデオデータ信号としてデータラインＤＬ１乃至ＤＬｍに提供する。すなわち、データドライバ１０４は、４色データＤａｔａの階調値に基づいて所定レベルを持つガンマ電圧を選択し、選択したガンマ電圧をデータラインＤＬ１乃至ＤＬｍに提供する。
【００３０】
　図３は、図２に示す本発明の第１の実施の形態に適用されるデータ変換部１１０の第１例を示すブロック図である。
【００３１】
　図２及び図３に基づき、３色データＲＧＢを４色データＲＧＢＷに変換するデータ変換部１１０について説明すると、下記の通りである。
【００３２】
　まず、
データ変換部１１０は、逆ガンマ変換部２００、ゲイン値生成部２１０、乗算部２２０、ＲＧＢＷ生成部２３０及びガンマ変換部２４０を備え
【００３３】
　
逆ガンマ変換部２００は、外部から入力される３色ソースデータＲＧＢが陰極線管の出力特性を考慮してガンマ補正された信号であるので、下式（１）により線形化した３色入力データＲＩ、ＧＩ、ＢＩに変換する
　　ＲＩ＝Ｒγ
　　ＧＩ＝Ｇγ
　　ＢＩ＝Ｂγ　　　　　　　　　　　　　　　　　　　　（１）
【００３４】
　
ゲイン値生成部２１０は、逆ガンマ変換部２００から出力される３色入力データＲＩ、ＧＩ、ＢＩの最大輝度値ＹＭａｘ及び最小輝度値ＹＭｉｎを用いて、１フレームにおいて無彩色信号が占める割合を計算することでゲイン値Ｇを生成する
【００３５】
　このため、ゲイン値生成部２１０は、図４に示すように
輝度検出部２１２、比較器２１４、カウンタ２１６及びゲイン値設定部２１８を備え
【００３６】
　輝度検出部２１２は、逆ガンマ変換部２００から提供される３色入力データＲＩ、ＧＩ、ＢＩの最大輝度値ＹＭａｘ及び最小輝度値ＹＭｉｎを検出する。このときに、輝度検出部２１２は、検出された最大輝度値ＹＭａｘを比較器２１４に供給するとともに、下式（２）の右辺のように、検出された最小輝度値ＹＭｉｎに係数Ｃを乗じて比較器２１４に供給する。ここで、係数Ｃは、正の実数であり、単純に定められず、多様な画像に対するゲイン値を評価した結果から設定される。
　　ＹＭａｘ＝Ｃ×ＹＭｉｎ　　　　　　　　　　　　　　　（２）
【００３７】
　比較器２１４は、輝度検出部２１２からの最大輝度値ＹＭａｘと、最小輝度値ＹＭｉｎに係数Ｃを乗じた値とを比較して比較信号Ｃａを出力する。このときに、比較器２１４は、下式（３）に示すように、係数Ｃが乗じられた最小輝度値ＹＭｉｎよりも最大輝度値ＹＭａｘが大きい場合には「１」の比較信号Ｃａを出力し、そうでない場合には「０」の比較信号Ｃａを出力する。
　　ＹＭａｘ≦Ｃ×Ｍｉｎ　→　無彩色信号
　　ＹＭａｘ＞Ｃ×Ｍｉｎ　→　彩色信号　　　　　　　　　（３）
【００３８】
　カウンタ２１６は、外部からのデータイネーブル信号ＤＥ及び垂直同期信号Ｖｓｙｎｃに応じて、１フレームの間における比較器２１４からの比較信号Ｃａを計数し、計数信号Ｃｂを生成する。このとき、カウンタ２１６は、垂直同期信号Ｖｓｙｎｃに応じてフレーム単位に計数をリセットする。
【００３９】
　
ゲイン値設定部２１８は、
ゲイン値Ｇを設定して乗算部２２０に供給する
　　Ｇ＝１＋α（Ｃｂ／Ｔｐｉｘｅｌ）　　　　　　　　　　　（４）
【００４０】
　式中、係数α、ＲＧＢＷ表示装置において白色（Ｗ）サブピクセルが赤色、緑色及び青色輝度に寄与する相対サイズを表すパラメータであるαＲ、αＧ、αＢの最小値を表し、Ｔｐｉｘｅｌは、液晶パネルの総サブピクセル数を表す。したがって、ゲイン値Ｇは、
１〜１＋αの範囲を有する
【００４１】
　このように構成されるゲイン値生成部２１０は、上（２）及び（３）を用いて、３色入力データＲＩ、ＧＩ、ＢＩが無彩色信号か或いは彩色信号かを判断する。ここで、上式（２）及び（３）を用いた３色入力データＲＩ、ＧＩ、ＢＩに対する無彩色信号または彩色信号の判断基準は、図５の通りになる。
【００４２】
　図５に示すように、最大輝度値ＹＭａｘと最小輝度値ＹＭｉｎが等しいＣ＝１のライン上には、ブラックからホワイトの信号が存在する。これにより、混じり気のない赤色（Ｒ）または混じり気のない緑色（Ｇ）の場合には、最小輝度値ＹＭｉｎがゼロとなる。したがって、数式（２）の関係式において、係数Ｃの値が大きくなるほど彩色信号に近付くのに対し、係数Ｃが「１」の場合には、完全に無彩色信号となる。このような基準を複数設定して１フレームの信号を分析すれば、より正確に該当フレームの信号を分析することができるため、本発明では一つの判断基準として係数Ｃの値を設定する。
【００４３】
　その後、ゲイン値生成部２１０は、数式（４）を用いて、ゲイン値Ｇを設定する。ここで、液晶パネル１０２の解像度がＸＧＡ（１０２４×７６８画素）の場合、１フレームの総サブピクセル数は７８６４３２個となる。したがって、カウンタ２１６を用いて無彩色信号または彩色信号のいずれか一つのみをカウントすると、残りは総サブピクセル数との差から得ることができる。これにより、垂直同期信号Ｖｓｙｎｃ及びデータイネーブル信号ＤＥを用いて１フレーム内の有効データをカウントできる。
ここで、フレームメモリを用いて該当のフレームに対応するゲイン値Ｇを導き出さなければならないが、フレームメモリの使用によりコスト高となる。そこで、一般の動画像では、１フレーム前後の画像は、大きな差がないので、本発明においては、前のフレームで導き出されたゲイン値Ｇを使用する。
【００４４】
　その結果、ゲイン値生成部２１０は、数式（２）乃至（４）を用いて入力データＲＩ、ＧＩ、ＢＩをフレーム単位に分析し、１フレーム上で輝度増幅のゲイン値Ｇを同一に具現することができる。
【００４５】
　
乗算部２２０は、
ゲイン値生成部２１０からのゲイン値Ｇを、逆ガンマ変換部２００からの入力データＲＩ、ＧＩ、ＢＩに乗じて、３色増幅データＲａ、Ｇａ、Ｂａを生成してＲＧＢＷ生成部２３０に提供する
　　Ｒａ＝Ｇ×ＲＩ
　　Ｇａ＝Ｇ×ＧＩ
　　Ｂａ＝Ｇ×ＢＩ　　　　　　　　　　　　　　　　　　（５）
【００４６】
　
ＲＧＢＷ生成部２３０は、乗算部２２０からの３色増幅データＲａ、Ｇａ、Ｂａから共通成分を白色データＷｂとして抽出し、抽出した白色データＷｂを用いて４色データＲＧＢＷを生成し、４色データＲＧＢＷをガンマ変換部２４０に供給する
白色データ抽出部２３２及び減算部２３４を備え
【００４７】
　
白色データ抽出部２３２は、
乗算部２２０からの３色増幅データＲａ、Ｇａ、Ｂａから共通成分を白色データＷｂとして抽出し、これを減算部２３４に供給する
　　Ｗｂ＝Ｍｉｎ（Ｄａ、１）
　ただし、Ｄａは、Ｒａ、Ｇａ、Ｂａ　　　　　　　　　　（６）
【００４８】
　この白色データ抽出部２３２は、
赤色、緑色及び青色の３色増幅データＲａ、Ｇａ、Ｂａの最小値
【００４９】
　
減算部２３４は、
乗算部２２０からの３色増幅データＲａ、Ｇａ、Ｂａから、白色データ抽出部２３２からの白色データＷｂを減算して、３色出力データＲｂ、Ｇｂ、Ｂｂをガンマ変換部２４０に提供すると同時に、白色データＷｂをガンマ変換部２４０に提供する
　　Ｒｂ＝Ｒａ−Ｗｂ
　　Ｇｂ＝Ｇａ−Ｗｂ
　　Ｂｂ＝Ｂａ−Ｗｂ　　　　　　　　　　　　　　　　　　（７）
【００５０】
　したがって、減算部２３４は、赤色、緑色及び青色輝度のそれぞれに寄与する白色データＷｂを、３色増幅データＲａ、Ｇａ、Ｂａのそれぞれから減算することによって、正確なカラーが赤色、緑色、青色及び白色サブピクセルＲＧＢＷで表現されるように、３色出力データＲｂ、Ｇｂ、Ｂｂを生成して出力する。
【００５１】
　
ガンマ変換部２４０は、ＲＧＢＷ生成部２３０から、３色出力データＲｂ、Ｇｂ、Ｂｂ及び白色データＷｂを含む４色出力データＲｂ、Ｇｂ、Ｂｂ、Ｗｂを受け取り、これらを、
ガンマ補正して４色の最終出力データＲｏ、Ｇｏ、Ｂｏ、Ｗｏに変換する
　　Ｒｏ＝（Ｒｂ）１／γ
　　Ｇｏ＝（Ｇｂ）１／γ
　　Ｂｏ＝（Ｂｂ）１／γ
　　Ｗｏ＝（Ｗｂ）１／γ　　　　　　　　　　　　　　　　（８）
【００５２】
　すなわち、ガンマ変換部２４０は、ルックアップテーブルに基づき、出力データＲｂ、Ｇｂ、Ｂｂ、Ｗｂを、液晶パネル１０２の駆動回路に適合する最終出力データＲｏ、Ｇｏ、Ｂｏ、Ｗｏにガンマ補正し、
これらをタイミングコントローラ１０８に供給する
【００５３】
　したがって、本発明の第１の実施の形態による液晶表示装置の駆動装置及び駆動方法は、逆ガンマ変換部２００を用いて外部から入力される３色ソースデータＲＧＢを逆ガンマ補正して線形化した後、ゲイン値生成部２１０を用いて外部から入力される３色ソースデータＲＧＢに対応するゲイン値Ｇを生成する。続いて、生成されたゲイン値Ｇを３色ソースデータＲＧＢに乗じて３色増幅データＲａ、Ｇａ、Ｂａを生成し、３色増幅データＲａ、Ｇａ、Ｂａから共通成分を白色データＷｂとして抽出する。続いて、３色増幅データＲａ、Ｇａ、Ｂａから抽出した白色データＷｂを減算して出力データＲｂ、Ｇｂ、Ｂｂを生成し、生成した出力データＲｂ、Ｇｂ、Ｂｂ及び白色データＷｂをガンマ補正して４色最終出力データＲｏ、Ｇｏ、Ｂｏ、Ｗｏに変換し、
液晶パネル１０２上に表示する
　
　イ　上記アから、引用例１には次の発明が記載されているものと認められる。
「赤色（Ｒ）、緑色（Ｇ）及び青色（Ｂ）のカラーフィルタの外に、白色フィルタ（Ｗ）を含み、３色画像信号を４色画像信号に変換してカラー画像の輝度を向上させるＲＧＢＷ型の液晶表示装置であって、
　４色のサブピクセル領域ごとに形成された液晶セルを有する液晶パネル１０２と、データラインＤＬ１〜ＤＬｍにビデオデータ信号を提供するデータドライバ１０４と、ゲートラインＧＬ１〜ＧＬｎにスキャンパルスを提供するゲートドライバ１０６と、外部から入力される３色ソースデータＲＧＢを４色データＲＧＢＷに変換して出力するデータ変換部１１０と、データ変換部１１０から入力された４色データＲＧＢＷを整列してデータドライバ１０４に提供し、また、データ制御信号ＤＣＳを生成してデータドライバ１０４を制御すると同時に、ゲート制御信号ＧＣＳを生成してゲートドライバ１０６を制御するタイミングコントローラ１０８とを備え、
　データ変換部１１０は、逆ガンマ変換部２００、ゲイン値生成部２１０、乗算部２２０、ＲＧＢＷ生成部２３０及びガンマ変換部２４０を備え、外部から入力される３色ソースデータＲＧＢから無彩色信号及び彩色信号の割合をフレーム単位に分析し、ゲイン値を生成して３色ソースデータＲＧＢを増幅し、増幅された３色ソースデータＲＧＢの共通成分により抽出された白色（Ｗ）データを生成し、生成された白色（Ｗ）データを用いて３色ソースデータＲＧＢを４色データＲＧＢＷに変換してタイミングコントローラ１０８に提供するものであり、
　逆ガンマ変換部２００は、外部から入力される３色ソースデータＲＧＢが出力特性を考慮してガンマ補正された信号であるので、線形化した３色入力データＲＩ、ＧＩ、ＢＩに変換するものであり、
　ゲイン値生成部２１０は、輝度検出部２１２、比較器２１４、カウンタ２１６及びゲイン値設定部２１８を備え、逆ガンマ変換部２００から出力される３色入力データＲＩ、ＧＩ、ＢＩの最大輝度値ＹＭａｘ及び最小輝度値ＹＭｉｎを用いて、１フレームにおいて無彩色信号が占める割合を計算することで１〜１＋αの範囲を有するゲイン値Ｇを生成するものであり、
　ゲイン値設定部２１８は、ゲイン値Ｇを設定して乗算部２２０に供給するものであり、
　乗算部２２０は、ゲイン値生成部２１０からのゲイン値Ｇを、逆ガンマ変換部２００からの入力データＲＩ、ＧＩ、ＢＩに乗じて、３色増幅データＲａ、Ｇａ、Ｂａを生成してＲＧＢＷ生成部２３０に提供するものであり、
　ＲＧＢＷ生成部２３０は、白色データ抽出部２３２及び減算部２３４を備え、乗算部２２０からの３色増幅データＲａ、Ｇａ、Ｂａから共通成分を白色データＷｂとして抽出し、抽出した白色データＷｂを用いて４色データＲＧＢＷを生成し、４色データＲＧＢＷをガンマ変換部２４０に供給するものであり、
　白色データ抽出部２３２は、乗算部２２０からの赤色、緑色及び青色の３色増幅データＲａ、Ｇａ、Ｂａから共通成分、すなわち３色増幅データＲａ、Ｇａ、Ｂａの最小値を白色データＷｂとして抽出し、これを減算部２３４に供給するものであり、
　減算部２３４は、乗算部２２０からの３色増幅データＲａ、Ｇａ、Ｂａから、白色データ抽出部２３２からの白色データＷｂを減算して、３色出力データＲｂ、Ｇｂ、Ｂｂをガンマ変換部２４０に提供すると同時に、白色データＷｂをガンマ変換部２４０に提供するものであり、
　ガンマ変換部２４０は、ＲＧＢＷ生成部２３０から、３色出力データＲｂ、Ｇｂ、Ｂｂ及び白色データＷｂを含む４色出力データＲｂ、Ｇｂ、Ｂｂ、Ｗｂを受け取り、これらを、ガンマ補正して４色の最終出力データＲｏ、Ｇｏ、Ｂｏ、Ｗｏに変換し、これらをタイミングコントローラ１０８に供給して液晶パネル１０２上に表示するものであるＲＧＢＷ型の液晶表示装置において、
　フレームメモリを用いて該当のフレームに対応するゲイン値Ｇを導き出さなければならないが、フレームメモリの使用によりコスト高となるので、一般の動画像では、１フレーム前後の画像は、大きな差がないことを利用して、前のフレームで導き出されたゲイン値Ｇを使用するようにしたＲＧＢＷ型の液晶表示装置。」（以下「引用発明１」という。）
　
（２）原査定の拒絶の理由に引用された「本願の出願前に頒布された刊行物である特開２００７−１０７５３号公報（以下「引用例２」という。）」には、次の事項が図とともに記載されている。
　ア　「【実施例１】
【００２７】
図１に、本実施例における液晶表示装置のブロック図を示す。本実施例における
液晶表示装置は、レベル検出回路１１０、画像データ変換回路１２０、液晶表示部１３０、バックライト１４０から構成されている。表示すべく入力された画像データは、レベル検出回路１１０に入力され、入力画像データのレベルが検出され、その結果は画像データ変換回路１２０に出力され
【００２８】
また、画像データ変換回路１２０は、入力された画像データとレベル検出回路１１０からの検出信号を基に、画像データを変換して、液晶表示部１３０に出力すると共にバックライト１４０の輝度を制御する
【００２９】
ここで、
液晶表示部１３０は、赤、緑、青及び白の４サブ画素を持つ画素群で構成され
【００３０】
なお、図２（１）は、通常の３サブ画素構成（ＲＧＢ画素構成）であって、この通常の３サブ画素構成においては、赤色サブ画素１３４１、緑色サブ画素１３４２、青色サブ画素１３４３の３サブ画素から１画素が構成されている。この１画素毎の配線としては、ゲート線１３１０、各色毎の信号配線（１３２０〜１３２２）、及び共通配線１３３０からなっている。ゲート線１３１０に選択電圧が印加された場合に、それぞれのサブ画素に、赤用信号線１３２０、緑用信号線１３２１、青用信号線１３２２の電圧が書き込まれ、その電圧によって階調が表示されることになる。
【００３１】
図２（２）、（３）は、本実施例の赤、緑、青及び白の４サブ画素構成（ＲＧＢＷ画素構成）である。
【００３２】
まず、図２（２）の４サブ画素構成１は、通常の３サブ画素構成と異なり、赤色サブ画素１３４１、緑色サブ画素１３４２、青色サブ画素１３４３、白色サブ画素１３４４のサブ画素が田の字状に配置されている。
【００３３】
この場合、１画素に対しての配線は、ゲート線１３１０の他に１本、第２ゲート線１３１１が配置される。また、信号線は、各色毎ではなく、赤と緑の共用信号線１３２３と青と白の共用信号線１３２４の２本となる。さらに、共通配線１３３０も別の１系統、第２共通配線１３３１が配置される。
【００３４】
画素電圧の書き込み方法も通常のＲＧＢ画素構成とは異なり、１画素を構成するサブ画素にすべて同時に電圧が書き込まれるわけではなく、例えば、第２ゲート線１３１１に選択電圧が印加された次のタイミングで、ゲート線１３１０に選択電圧が印加されるため、同時に書き込まれるサブ画素は、まず赤色サブ画素１３４１と青色サブ画素１３４３、次に緑色サブ画素１３４２と白色サブ画素１３４４となる。
【００３５】
一方、図２（３）の４サブ画素構成２は、通常の３サブ画素構成と類似して、赤色サブ画素１３４１、緑色サブ画素１３４２、青色サブ画素１３４３、白色サブ画素１３４４のサブ画素が横に並んでいる。
【００３６】
この場合の配線は、通常の３サブ画素構成と比べて白用信号線１３２５が増えているだけである。画素電圧の書き込み方法も４サブ画素同時に書き込まれる。
【００３７】
この４サブ画素構成における液晶表示部の周辺回路（図示せず）について考えると、図２（２）に示す４サブ画素構成１においては、ゲート線ドライバＩＣが２倍となるが、ゲート線ドライバＩＣと比べて高価である信号線ドライバＩＣが２／３倍となる。一方、図２（３）に示す４サブ画素構成２においては、ゲート線ドライバＩＣの個数は変わらず、信号線ドライバＩＣのみが４／３倍となる。
【００３８】
なお、４サブ画素構成１においては、ゲート線１３１０の選択電圧印加期間が通常の半分となり、電圧書き込みが不十分になりがちであるが、本実施例おいては、４サブ画素構成１を採用した。
【００３９】
以上の４サブ画素構成は、通常の３サブ画素構成と比較すると、白色サブ画素１３４４が追加されているため、他のサブ画素（赤色サブ画素１３４１、緑色サブ画素１３４２、青色サブ画素１３４３）が占める面積が、通常の３サブ画素構成より少なくなっている。したがって、白サブ画素１３４４を使用しないで表示した場合には、通常の３サブ画素構成と比較して透過率が低下するため、輝度も低下する。
【００４０】
次に、本実施例における画像データ変換方法について、図３〜７を用いて説明する。
【００４１】
まず、図３において、同図（１）に示すように、通常の３サブ画素構成（ＲＧＢ画素構成）における色表示範囲と、同図（２）に示すように、４サブ画素構成（ＲＧＢＷ画素構成）における色表示範囲を説明する。
【００４２】
３次元座標方向を、赤（Ｒ），緑（Ｇ），青（Ｂ）の発光強度とすると、ＲＧＢ構成においては、図３（１）に示すように、立方体内部が色表示可能である領域となる。
【００４３】
一方、ＲＧＢＷ画素構成においては、図３（２）に示すように、Ｗサブ画素における発光強度は、立方体の対角頂点へ向かう軸に沿うことになる。これにより色表示可能である領域は立方体を対角頂点方向へ平行移動した時に通過する領域となる（１２面体）。
【００４４】
このとき、注意すべきことは、ＲＧＢＷ画素構成におけるＲＧＢサブ画素の領域は、ＲＧＢ画素構成より小さくなっているため、ＲＧＢ発光強度を基とする立方体の大きさはＲＧＢ画素構成より小さくなることである。図３においても、そのことを考慮して、図３（２）における立方体の大きさは小さく示してある。
【００４５】
ＲＧＢ混色による色表示範囲は、図３に示すように３次元空間的であるが、２次元平面である紙面上で３次元空間の説明は見にくいために、これまでの図の代わりに、２色のみを使って考えた図を使って説明を続ける。
【００４６】
図４は、ＲＧＢ画素構成とＲＧＢＷ画素構成における色表示可能領域を、赤（Ｒ）−青（Ｂ）のみを使って考えた図である。同図（１）に示すように、ＲＧＢ画素構成では、色表示可能領域は正方形に、また、同図（２）に示すように、ＲＧＢＷ画素構成では正方形を対角方向に平行移動させた図内のａ，ｂ，ｆ，ｊ，ｈ，ｄを頂点とする６角形によって表される。
【００４７】
もし、ＲＧＢ画素構成における正方形の色表示可能領域を、発光強度の増加を想定して、ＲＧＢＷ画素構成上にそのまま拡大適用すると、ｂ，ｃ，ｆ及びｄ，ｇ，ｈを頂点とする３角形内部は表色できない領域となる。
【００４８】
また、最も明るい赤である頂点ｆや最も明るい青である頂点ｈについては、白色が混ざることによる色純度劣化が発生する。これについて、簡単なシミュレーションにより色座標を計算した結果を図４（２）の上部に示した。それぞれの純色は非常に劣化しており、ほとんど白に近い色となる。
【００４９】
このようなＲＧＢＷ画素構造において、いかに色変化を抑えてＲＧＢの表示データをＲＧＢＷに変換するかについて説明する。
【００５０】
図５は、上記特許文献１に記載されている色変化なしのＲＧＢＷ画素データ変換方法の例であって、入力画像データのＲＧＢ比率（Ｒｉｎ：Ｇｉｎ：Ｂｉｎ）と、ＲＧＢＷ出力画像データにおける各色要素（Ｒ＋Ｗ：Ｇ＋Ｗ：Ｂ＋Ｗ）の比率が等しくなるように変換することが特徴である。
【００５１】
例えば、Ｒｉｎ＝２４０：Ｇｉｎ＝１６０：Ｂｉｎ＝１２０とするならば、最小値であるＢｉｎの値をまずＷで置き換え、その後、輝度向上率を乗ずることで（この例では、１．５倍）、Ｒ＋Ｗ＝３６０、Ｇ＋Ｗ＝２４０、Ｂ＋Ｗ＝１８０とする。入力と出力のＲＧＢ比率はどちらも６：４：３であり、色変化は発生しないことになる。
【００５２】
しかし、全ての中間調表示において、輝度向上率を一定にすることは不可能である。例えば、図５に示すように、輝度向上率１．５倍について考えると、図４（２）に示す色ｋにおいては、１．５倍化（ｋ’）は可能であるが、色ｍにおいては、１．５倍化（ｍ’）すると表色不可能の領域に入り込んでしまう。
【００５３】
この１．５倍化（ｍ’）に対して、近傍の表色可能範囲の色で代替するか（色変化有り）、若しくは輝度向上率を低下して色を保つか（輝度変化有り）、どちらか目立たない方法を選んで使用するということが、上記特許文献２〜５に記載されている色変化有りのＲＧＢＷ変換方法である。これは、画面内の一部の画素が、意図せずに、表示すべき色、若しくは輝度から異なった表示となるということであり、画質不良と同程度の画質劣化であると考えられる。
【００５４】
そこで、本実施例においては、テレビの放送規格であるＮＴＳＣ規格やハイビジョン規格にも規定されている白ピーク特性に着目した。白ピークとは、前述のように、水滴による光の反射や金属光沢など、画面内のごく一部において、通常画面表示における１００％白表示より明るい“白”のことである。
【００５５】
これまでの表示装置の主流であったＣＲＴにおいては、電源能力の制限により、画面全体のトータル発光量が一定値を超えられない制限がかかっていた。このため、全画面白表示より、一部のみ白表示の方が、意図せずに白輝度が向上し、自動的に“白ピーク”を表示できることになる。
【００５６】
一方、現行の液晶ＴＶにおいては、バックライトの発光輝度は、全画面同一であるために、必然的に全画面白輝度＝一部表示白輝度となっている。
【００５７】
しかし、一部の液晶ＴＶにおいては、映像最適化エンジンにより、意図的に全画面白輝度＜一部表示白輝度となるように、画像データを作り変えて、白ピークを模擬（再現）しているものもある。
【００５８】
ここで、白ピークは、上述のように光の反射などによって発現することが多いことから、白ピーク表示においては、高い色純度を持つものは少ないはずであると考えられる。
【００５９】
図６は、いくつかの画像において、白ピーク表示している画素の色を測定した分布を示す。実際に、白ピークにおいては、それほど高い色純度を示している画素は存在しないことがわかる。
【００６０】
そこで、本実施例においては、ＮＴＳＣ規格やハイビジョン規格における１００％白レベル以上のレベルを持つ画素のみを、色変化有りのＲＧＢＷ変換方式で変換し、１００％白レベル以下の画素については、色変化なしのＲＧＢＷ変換方式（輝度向上率１．０倍）で変換することとした。
【００６１】
これにより、白ピーク表示レベルの画素においては、色変化が発生しうることもあるが、その確率は非常に小さく、かつ輝度向上効果は大きく、実質的に透過率が向上したとみなすことが可能となる。
【００６２】
また、本実施例においては、
ＲＧＢＷ変換時の変換方法とバックライト変調方式の組み合わせにより、更なる低消費電力化を可能としている
【００６３】
まず、図７（１−１）に示すように、ＲＧＢ画素構造の通常の液晶表示装置において、１画面の表示データの統計値として、
赤データの最大値が２００、緑データの最大値が１８５、青データの最大値が１７０である場合
【００６４】
これに対して、バックライトは、１００の発光量で液晶表示部を照射しており、最終的に画像出力される出力データ分布は、表示データ分布と同じである。
【００６５】
なお、ここで示した液晶表示装置においては、各色の透過率はデータ（階調）−透過率特性としてデータを、２．２乗した値に比例して、透過率を示すように設定されている。
【００６６】
つまり、最大階調データ２５５の透過率を２５５＾２．２＝１９６９６４．７（任意単位）とすると、この半分の透過率を示す階調データ値は、約１８６（１８６＾２．２＝９８３８４．９）となる。
【００６７】
このような通常の液晶表示に対して、上記特許文献６に記載されているように、バックライト発光量を画面毎に変調させて、元の表示データと同じ出力データを得る方式がある。これについて図７（１−２）の例を用いて説明する。
【００６８】
図７（１−２）において、元の表示データで最大の値を持つ赤に関して、最大データ値である２００を、データがとりうる最大値である２５５に変換し、透過率が増加した分、バックライト発光量を減少させる。
【００６９】
この場合であれば、バックライト発光量を５９にすることができる（（２００／２５５）＾２．２＝０．５８６）。なお、緑や青のデータは、バックライト発光量低下分だけ透過率を増大させるように変換する。
【００７０】
例えば、緑では最大データ値１８５を２３６に、青では１７０を２１７に変換する（（１８５／２３６）＾２．２＝０．５８５，（１７０／２１７）＾２．２＝０．５８４）。このようにすることで、出力データは、元の表示データと同じとしながら、バックライトの発光強度を低減することができ、すなわち、バックライトの消費電力を低減することが可能となる。
【００７１】
以上のように、バックライト変調方式は、低消費電力化を可能とするが、これをＲＧＢＷ変換に適用する際には、注意が必要である。通常、ＲＧＢ→ＲＧＢＷデータ変換は、上記特許文献１にも記載されているように、光利用効率を最大限とするために、白画素へのデータ割り振りを最大とするような変換をする。
【００７２】
しかしながら、このような変換の結果、白色画素の出力が他の色と比較して最大となる場合、バックライト変調によるバックライト発光量低減効果が最大とならないことがある。これについて引き続き図７を用いて説明する。
【００７３】
まず、図７（２−１）は、図７（１−１）で示されている各色データの最大値を、上記特許文献１に記載されている色変化なし、かつ、輝度向上率１．０倍（輝度向上もなし）でＲＧＢＷ変換した場合の表示データである。
元の表示データの白色成分（Ｒ，Ｇ，Ｂの最小データ値＝共通値＝白色成分）を、全て白色データとして置き換え
【００７４】
この表示データに対して、バックライト変調方式を適用する場合、図７（２−２）で示すように、
各色の中で最大のデータ値である白の
が２５５になるようにデータを変換
【００７５】
しかし、これまでのＲＧＢＷ変換の基本であった“白画素へのデータ割り振りを最大”としなければ、更なる低消費電力化が可能である。
【００７６】
これについて、図７（３−１）に、図７（１−１）で示されている各色データの最大値を、本実施例の方式で、ＲＧＢＷ変換した場合の表示データを示す。本実施例においては、白画素へのデータ割り振りを最大とせず、各色のデータ最大値が揃うよう（等しくなるよう）に変換する。
【００７７】
図７（３−１）の例では、
白色のデータ最大値を、赤色（元の表示データのデータ最大値を有する色）のデータ最大値と等しい１４６に変換し
緑色画素のデータ値
データ値１２３
青色画素のデータ値
データ値９６
【００７８】
なお、この例では、白色のデータ最大値＝赤色のデータ最大値としているが、必ずしも等しくする必要はなく、各色のデータ最大値が、等しくなるように、揃えればよい。また、この例では最大データ値の半分をそのまま白色データ値としても、他の色成分（緑や青）の出力以下であったが、他の色成分の出力以上となる場合（青色成分などが出過ぎてしまう場合など）には、それを超えないように白色データ値を再設定するする必要がある。
【００７９】
さらに、この表示データに対して、バックライト変調方式を適用すると、図７（３−２）に示すように、赤及び白色が持つデータ最大値である１４６が２５５になるようにデータが変換される。
【００８０】
この場合、
バックライト発光量は２９まで低下させることが可能
【００８１】
以上のように、本実施例においては、ＲＧＢＷデータ変換とバックライト変調方式を同時に実行する上で、ＲＧＢＷデータ変換において、各色のデータ最大値が揃うように変換しているため、さらに低消費電力化が可能である。
【００８２】
このＲＧＢＷデータ変換とバックライト変調方式を制御するのが画像データ変換回路である。図８に、本実施例における画像データ変換回路１２０の内部ブロック図を示す。
【００８３】
この
画像データ変換回路１２０に入力された画像データは、まず、ＲＧＢＷデータへ変換され
画像データ変換回路１２０内には、ＲＧＢのデータを色変化及び輝度変化なしで、ＲＧＢＷデータに変換する４色変換回路Ａ１２１と、色変化及び輝度変化有りで、ＲＧＢＷデータに変換する４色変換回路Ｂ１２２があり、
両変換回路に入力され
【００８４】
どちらのＲＧＢＷ４色変換回路も図７で説明したように、ＲＧＢＷの各データ出力が揃うように変換されることが、これまでのＲＧＢＷ変換と異なるところである。
【００８５】
４色変換回路Ａ及びＢから出力されたＲＧＢＷデータは、図１に示す
レベル検出回路１１０からのレベル検出信号を基にして、セレクタ１２３により、どちらかが選別され
【００８６】
セレクタから出力されたＲＧＢＷデータは、メモリ１２５に一定期間、保存され
【００８７】
データ保存期間は、バックライトの制御単位に依存し、バックライトが全画面同一に制御される場合は１画面表示時間（１フレーム＝約１６．６ｍ秒）である。画面内でバックライト制御単位が分かれている（分割制御バックライト）の場合には、バックライトの各制御領域単位の時間となる。
【００８８】
なお、本実施例では、バックライトは全画面同一制御であるので、１画面分の表示データをメモリ１２５にて保存している。
【００８９】
１画面分の表示データがメモリ１２５に保存され、
その画面内の各色毎のデータ最大値が、データ最大値レジスタ１２４に設定された後、ＢＬ輝度制御回路１２７は上記各色毎のデータ最大値を基に、バックライト発光量を算出して、次の画面を表示するときのバックライトの発光量を制御
【００９０】
一方、
ＢＬ輝度補償データ変換回路１２６は、メモリ１２５内の表示データを逐次読み出して、ＢＬ輝度制御回路１２７から入力されたバックライト発光量信号を基に、バックライト輝度を補償するように、データ変換をした後に、次の画面の表示用データとして、
液晶表示部１３０へ出力
【００９１】
なお、
１画面前の画像内における各色毎のデータ最大値を使用して、上記バックライト輝度補償データの変換をする
メモリ１２５を配置せず、セレクタ１２３からの出力を直接、ＢＬ輝度補償データ変換回路１２６に入力する
【００９２】
以上のように、本実施例では、白ピーク表示データ領域のみ色変化有りのＲＧＢＷ変換とすることで、実質的に透過率が向上し、消費電力の増加なく実質的白輝度の向上が可能である。また、ＲＧＢＷデータへの変換を各データ値が、なるべく等しく揃うように変換しているため、バックライト変調を使用して非常に低消費電力とすることが可能である。これにより、実質的白輝度の向上と低消費電力の両立が可能な液晶表示装置を提供することができる。」
　
　イ　図７（３−１）及び（３−２）の記載から、元の表示データの赤データの最大値が２００、緑データの最大値が１８５、青データの最大値が１７０である場合、元の表示データの白色成分（Ｒ，Ｇ，Ｂの最小データ値＝共通値＝白色成分）を全て白色データとして置き換えるのではなく、白色のデータ最大値を赤色（元の表示データのデータ最大値を有する色）のデータ最大値と等しいデータ値１４６に変換し、緑色画素のデータ値はデータ値１２３に、青色画素のデータ値はデータ値９６に変換した後、各色の中で最大のデータ値である赤及び白のデータ値１４６が２５５になる値（＝２５５／１４６）を緑及び青のデータ値にも乗算してデータを変換すると同時にバックライト発光量を２９まで低下させていることが、見て取れる。
　
　ウ　上記ア及びイから、引用例２には次の発明が記載されているものと認められる。
「赤、緑、青及び白の４サブ画素を持つ画素群で構成されている液晶表示部１３０と、レベル検出回路１１０と、画像データ変換回路１２０と、バックライト１４０とから構成され、表示すべく入力された画像データは、レベル検出回路１１０に入力され、入力画像データのレベルが検出され、その結果は画像データ変換回路１２０に出力され、画像データ変換回路１２０は、入力された画像データとレベル検出回路１１０からの検出信号を基に、画像データを変換して、液晶表示部１３０に出力すると共にバックライト１４０の輝度を制御し、ＲＧＢＷ変換時の変換方法とバックライト変調方式との組み合わせにより、例えば、赤データの最大値が２００、緑データの最大値が１８５、青データの最大値が１７０である場合、元の表示データの白色成分（Ｒ，Ｇ，Ｂの最小データ値＝共通値＝白色成分）を全て白色データとして置き換えるのではなく、白色のデータ最大値を赤色（元の表示データのデータ最大値を有する色）のデータ最大値と等しいデータ値１４６に変換し、緑色画素のデータ値はデータ値１２３に、青色画素のデータ値はデータ値９６に変換した後、各色の中で最大のデータ値である赤及び白のデータ値１４６が２５５になる値（＝２５５／１４６）を緑及び青のデータ値にも乗算してデータを変換すると同時にバックライト発光量を２９まで低下させることを可能とし、低消費電力化を可能としている液晶表示装置であって、
　画像データ変換回路１２０内には、ＲＧＢのデータを色変化及び輝度変化なしで、ＲＧＢＷデータに変換する４色変換回路Ａ１２１と、色変化及び輝度変化有りで、ＲＧＢＷデータに変換する４色変換回路Ｂ１２２があり、画像データ変換回路１２０に入力された画像データは、まず、ＲＧＢＷデータへ変換され、Ａ１２１及びＢ１２２の両変換回路に入力され、レベル検出回路１１０からのレベル検出信号を基にして、セレクタ１２３により、どちらかが選別され、セレクタから出力されたＲＧＢＷデータは、メモリ１２５に一定期間、保存され、その画面内の各色毎のデータ最大値が、データ最大値レジスタ１２４に設定された後、ＢＬ輝度制御回路１２７は上記各色毎のデータ最大値を基に、バックライト発光量を算出して、次の画面を表示するときのバックライトの発光量を制御し、ＢＬ輝度補償データ変換回路１２６は、メモリ１２５内の表示データを逐次読み出して、ＢＬ輝度制御回路１２７から入力されたバックライト発光量信号を基に、バックライト輝度を補償するように、データ変換をした後に、次の画面の表示用データとして、液晶表示部１３０へ出力する液晶表示装置において、
　１画面前の画像内における各色毎のデータ最大値を使用して、上記バックライト輝度補償データの変換をするようにして、前記メモリ１２５を配置せず、セレクタ１２３からの出力を直接、ＢＬ輝度補償データ変換回路１２６に入力するようにした液晶表示装置。」（以下「引用発明２」という。）
　
４　対比
　本願補正発明と引用発明１とを対比する。
（１）引用発明１の「赤色（Ｒ）、緑色（Ｇ）及び青色（Ｂ）のカラーフィルタの外に、白色フィルタ（Ｗ）を含み」、「サブピクセル領域ごとに形成された液晶セルを有する液晶パネル１０２」、「ゲイン値Ｇ」、「外部から入力される３色ソースデータＲＧＢ」、「逆ガンマ変換部２００からの入力データＲＩ、ＧＩ、ＢＩ」、「ゲイン値Ｇを、乗じて」、「３色増幅データＲａ、Ｇａ、Ｂａ」、「３色増幅データＲａ、Ｇａ、Ｂａの最小値」、「白色データＷｂ」、「乗算部２２０からの３色増幅データＲａ、Ｇａ、Ｂａから、白色データ抽出部２３２からの白色データＷｂを減算して、３色出力データＲｂ、Ｇｂ、Ｂｂをガンマ変換部２４０に提供すると同時に、白色データＷｂをガンマ変換部２４０に提供する」、「『データ変換部１１０』及び『タイミングコントローラ１０８』」、「３色画像信号を４色画像信号に変換してカラー画像の輝度を向上させる」及び「ＲＧＢＷ型の液晶表示装置」は、それぞれ、本願補正発明の「赤、緑、青に加えて更に所定色」、「出力用サブピクセルが配列されピクセルを構成する表示画素部」、「『伸張係数』、『変調のレベル』、『画像解析情報』」、「入力画像信号」、「赤、緑、青の信号レベル」、「伸張し」、「この伸張した赤、緑、青の信号」、「この伸張した赤、緑、青の信号の最小値」、「前記所定色の信号成分」、「所定色、及び赤、緑、青の信号レベルを決定」、「信号処理部」、「入力画像信号を伸張処理することで明度を高める処理」及び「表示装置」に相当する。
　
（２）引用発明１の「表示装置（ＲＧＢＷ型の液晶表示装置）」は、「表示画素部（液晶パネル１０２）」と、「信号処理部（データ変換部１１０及びタイミングコントローラ１０８）」とを備えており、また、前のフレームで導き出された「変調のレベルであり、画像解析情報である伸張係数（ゲイン値Ｇ）」を使用するようにしたものであるから、前のフレームで導き出された「変調のレベルであり、画像解析情報である伸張係数」を保持する手段を備えていることが当業者に自明である。そして、この「保持する手段」は本願補正発明の「前記前フレームの前記入力画像信号で決定した前記変調のレベルを画像解析情報として保持する情報保持部」に相当する。
　したがって、引用発明１の「表示装置」と本願補正発明の「表示装置」とは「表示画素部と、信号処理部と、情報保持部とを備え」る点で一致する。
　
（３）引用発明１において、「表示装置（ＲＧＢＷ型の液晶表示装置）」はフレームメモリを用いて該当のフレームに対応するゲイン値Ｇを導き出さなければならないが、フレームメモリの使用によりコスト高となるので、一般の動画像では、１フレーム前後の画像は、大きな差がないことを利用して、前のフレームで導き出されたゲイン値Ｇを使用するようにしたものであるから、「信号処理部（データ変換部１１０）」が、外部から入力される３色ソースデータＲＧＢから無彩色信号及び彩色信号の割合をフレーム単位に分析し、ゲイン値を生成するのは、前のフレームの３色ソースデータＲＧＢに対してであり、前のフレームで導き出されたゲイン値Ｇを使用して、３色ソースデータＲＧＢを増幅し、増幅された３色ソースデータＲＧＢの共通成分により抽出された白色（Ｗ）データを生成し、生成された白色（Ｗ）データを用いて３色ソースデータＲＧＢを４色データＲＧＢＷに変換するのは、後のフレームの３色ソースデータＲＧＢに対してであることが当業者に自明である。
　してみると、引用発明１の「信号処理部（データ変換部１１０）」は、外部から入力される前のフレームの３色ソースデータＲＧＢから無彩色信号及び彩色信号の割合をフレーム単位に分析し、ゲイン値を生成して、後のフレームの３色ソースデータＲＧＢを増幅し、増幅された後のフレームの３色ソースデータＲＧＢの共通成分により抽出された白色（Ｗ）データを生成し、生成された白色（Ｗ）データを用いて後のフレームの３色ソースデータＲＧＢを４色データＲＧＢＷに変換するものである。
　したがって、引用発明１の「信号処理部」と本願補正発明の「信号処理部」とは、上記（１）からみて、「前フレームの入力画像信号に含まれる赤、緑、青の信号レベルから得られる彩度および明度に基づき伸張係数を決定し、後のフレームの入力画像信号に含まれる赤、緑、青の信号レベルを前記伸張係数により伸張し、この伸張した赤、緑、青の信号の最小値を前記所定色の信号成分とし、前記所定色の信号成分に基づき、後のフレームの該所定色、及び赤、緑、青の信号レベルを決定」する点、「前記変調のレベルの決定を入力画像信号のフレーム毎に行う」点及び「前記変調処理として、入力画像信号を伸張処理することで明度を高める処理を行う」点で一致する。
　
（４）上記（１）ないし（３）からみて、本願補正発明と引用発明１とは、
「赤、緑、青に加えて更に所定色の出力用サブピクセルが配列されピクセルを構成する表示画素部と、
　前フレームの入力画像信号に含まれる赤、緑、青の信号レベルから得られる彩度および明度に基づき伸張係数を決定し、後のフレームの入力画像信号に含まれる赤、緑、青の信号レベルを前記伸張係数により伸張し、この伸張した赤、緑、青の信号の最小値を前記所定色の信号成分とし、前記所定色の信号成分に基づき、後のフレームの該所定色、及び赤、緑、青の信号レベルを決定する信号処理部と、
　前記前フレームの前記入力画像信号で決定した前記変調のレベルを画像解析情報として保持する情報保持部とを備え、
　前記信号処理部は、前記変調のレベルの決定を入力画像信号のフレーム毎に行うと共に、前記変調処理として、入力画像信号を伸張処理することで明度を高める処理を行う
　表示装置。」の点で一致し、次の点で相違する。
　
相違点：
　前記表示装置が前記表示画素部に表示を行う際に前記信号処理部が行う変調処理が、本願補正発明では「伸張係数に基づき光源の明るさを低下させる変調処理」を含むのに対して、引用発明１では光源の明るさを低下させる変調処理を含んでいない点。
　
５　判断
　上記相違点について検討する。
（１）引用例２には、上記３（２）で述べたとおりの引用発明２（上記３（２）イ参照。）が記載されている。
　引用発明２は、ＲＧＢＷ変換時の変換方法とバックライト変調方式との組み合わせにより、例えば、赤データの最大値が２００、緑データの最大値が１８５、青データの最大値が１７０である場合、元の表示データの白色成分（Ｒ，Ｇ，Ｂの最小データ値＝共通値＝白色成分）を全て白色データとして置き換えるのではなく、白色のデータ最大値を赤色（元の表示データのデータ最大値を有する色）のデータ最大値と等しいデータ値１４６に変換し、緑色画素のデータ値はデータ値１２３に、青色画素のデータ値はデータ値９６に変換した後、各色の中で最大のデータ値である赤及び白のデータ値１４６が２５５になる値を緑及び青のデータ値にも乗算してデータを変換すると同時にバックライト発光量を２９まで低下させることを可能とし、低消費電力化を可能としている液晶表示装置である。
　
（２）引用発明１は、ＲＧＢＷ型の液晶表示装置であるから、上記（１）からみて、引用発明１において、ＲＧＢＷ変換時の変換方法とバックライト変調方式との組み合わせにより、例えば、赤データの最大値が２００、緑データの最大値が１８５、青データの最大値が１７０である場合、元の表示データの白色成分（Ｒ，Ｇ，Ｂの最小データ値＝共通値＝白色成分）を全て白色データとして置き換えるのではなく、白色のデータ最大値を赤色（元の表示データのデータ最大値を有する色）のデータ最大値と等しいデータ値１４６に変換し、緑色画素のデータ値はデータ値１２３に、青色画素のデータ値はデータ値９６に変換した後、各色の中で最大のデータ値である赤及び白のデータ値１４６が２５５になる値（＝２５５／１４６）を緑及び青のデータ値にも乗算してデータを変換すると同時にバックライト発光量を２９まで低下させることを可能とし、低消費電力化を可能とすることは、当業者が引用発明２に基づいて容易に想到することができた程度のことである。
　
（３）上記（２）における「データ値１４６が２５５になる値（＝２５５／１４６）」、「バックライト」及び「バックライト発光量」が、それぞれ、本願補正発明の「伸張係数」、「光源」及び「光源の明るさ」に相当する。
　したがって、引用発明１において、上記相違点に相当する本願補正発明の構成となすことは、上記（２）からみて、当業者が引用発明２に基づいて容易に想到することができた程度のことである。
　
（４）本願補正発明の奏する効果は、当業者が引用発明１の奏する効果及び引用発明２の奏する効果から予測することができた程度のものである。
　
（５）まとめ
　したがって、本願補正発明は、当業者が引用発明１及び引用発明２に基づいて容易に発明をすることができたものである。
　本願補正発明は、当業者が引用発明１及び引用発明２に基づいて容易に発明をすることができたものであるから、特許法第２９条第２項の規定により特許出願の際独立して特許を受けることができないものである。
　
６　小括
　以上のとおり、本願補正発明は、特許出願の際独立して特許を受けることができないものであるから、本件補正は、平成２３年法律第６３号改正附則第２条第１８項によりなお従前の例によるとされる同法による改正前の特許法第１７条の２第６項において準用する同法第１２６条第５項の規定に違反するので、同法第１５９条第１項の規定において読み替えて準用する同法第５３条第１項の規定により却下すべきものである。
　
第３　本願発明について
１　本願発明
　本件補正は上記第２のとおり却下されたので、本願の請求項１ないし１１に係る発明は、平成２２年７月５日付けで補正された特許請求の範囲の請求項１ないし１１に記載された事項によって特定されるものであるところ、請求項１に係る発明（以下「本願発明」という。）は、平成２２年７月５日付けで補正された明細書、特許請求の範囲及び図面の記載からみて、上記「第２〔理由〕１（１）」に本件補正前の請求項１として記載したとおりのものと認める。
　
２　引用例
　原査定の拒絶の理由に引用された引用例１、引用例２及びそれらの記載事項は、上記「第２〔理由〕３」に記載したとおりである。
　
３　対比・判断
　本願補正発明は、上記「第２〔理由〕１（２）」のとおり、本願発明の発明特定事項を限定するものである。
　そうすると、本願発明の構成要件をすべて含み、さらに限定を付加したものに相当する本願補正発明が、上記「第２〔理由〕５」に記載したとおり、当業者が引用発明１及び引用発明２に基づいて容易に発明をすることができたものであるから、本願発明も同様の理由により、当業者が引用発明１及び引用発明２に基づいて容易に発明をすることができたものである。
　
４　むすび
　本願発明は、以上のとおり、当業者が引用発明１及び引用発明２に基づいて容易に発明をすることができたものであるから、特許法第２９条第２項の規定により特許を受けることができない。
　よって、結論のとおり審決する。